(57)【要約】      （修正有）【課題】使用時の外観を底面が平坦で前後の胴部が直立し、天面が丸みを帯びた形状とすることができ、使用後は簡単に折り畳むことができる折り畳みかばんを提供する。【解決手段】使用状態から裏返し、両端を閉じた長方形の扁平な形状に折り畳まれる折り畳みかばんＡであって、折り畳まれた状態で前面および後面に位置する一組の折り畳み表面５と、両折り畳み表面５の長手方向一端側から内方他端側に向けて形成され、底マチに対応する幅の底内ヒダ６と、両折り畳み表面５の長手方向他端側から内方一端側に向けて形成され、内方に向かって順次ヒダの幅が狭くなる複数組の天内ヒダ７、８とを有する収納本体Ｂと、前記収納本体Ｂの天内ヒダ７、８の内側に形成され、収納対象物を出し入れする収納口部Ｅと、前記収納本体Ｂに形成される複数の内ヒダの側端部４を重ね合わせた状態で封止する集束端部Ｃと、収納口部Ｅの内側に取着されるハンドルＨとを備える。【選択図】図１
2019097724.tif 000002
【特許請求の範囲】
【請求項１】
使用状態から裏返し、長手方向の両端を引き離す方向に緊張させることにより、該両端を閉じた長方形の扁平な形状に折り畳まれる折り畳みかばんであって、
前記長方形の扁平な形状に折り畳まれた状態で前面および後面に位置する一組の折り畳み表面と、両折り畳み表面の長手方向一端側から内方他端側に向けて形成され、底マチに対応する幅の底内ヒダと、両折り畳み表面の長手方向他端側から内方一端側に向けて形成され、内方に向かって順次ヒダの幅が狭くなる複数組の天内ヒダとを有する収納本体と、
前記収納本体の天内ヒダの内側に形成され、収納対象物を出し入れする収納口部と、
前記収納本体に形成される複数の内ヒダの側端部を重ね合わせた状態で封止する集束端部と、
前記収納本体の収納口部の内側に取着されるハンドルと、を備えることを特徴とする折り畳みかばん。
【請求項２】
前記収納本体は、長方形のシート材料で構成され、
前記シート材料は、長辺の垂直２等分線に形成する第１谷折り線と、該第１谷折り線から短辺側に向けて底マチ幅の半分の間隔Ｓ１で形成する一組の第１山折り線と、該第１山折り線から短辺側に向けて間隔Ｓ１の倍以上の間隔Ｓ２で形成する一組の第２山折り線と、該第２山折り線から短辺側に向けて間隔Ｓ１よりも狭い間隔Ｓ３で形成する一組の第２谷折り線と、該第２谷折り線から短辺側に向けて間隔Ｓ３で形成する一組の第３山折り線と、該第３山折り線から短辺側に向けて間隔Ｓ３よりも順次狭くなる間隔で形成する複数組の谷折り線および山折り線で折り畳まれることを特徴とする請求項１に記載の折り畳みかばん。
【請求項３】
該収納本体は、収納口部に沿って、収納口部を開閉するファスナーを備えることを特徴とする請求項１または２に記載の折り畳みかばん。
【発明の詳細な説明】
【技術分野】
【０００１】
本発明は、かばんに関し、とくに、不使用時に携帯が便利な折り畳みかばんに関するものである。
【背景技術】
【０００２】
シート材料で構成され、不使用時の携帯を考慮して小さく折り畳むことができるかばんは、従来から様々な提案がなされている。
このような折り畳みかばんの一例として、ナイロンシートよりなり、長手状の出入口６を有し、かつ、両端部を縫合部３で封止した収納体１と、出入口６を開閉するファスナー６Ａと、ファスナー６Ａの両側に長手方向に沿って設けた蛇腹部５とを有することにより、収納体１を折り畳む際に平面積の広がりを抑制できるバッグが従来から知られている（例えば、特許文献１参照）。
【０００３】
また、シート材料で構成され、使用後に両端部を引き離す方向に引っ張るだけで、長手方向の両端を閉じた所定の長方形の扁平な帯状の形態にすることができる折り畳み可能な袋として、前記袋が帯状の形態のときの幅方向中央部分又は一方の側縁を一端部から他端部に亘って直線状に延び、かつ対象物を出し入れするための開口部１００ａと、該開口部１００ａを挟んで、その一方側半分１０ａと他方側半分１０ｂとに位置し、所定の幅で山折り、谷折りを繰り返すことにより形成された複数のプリーツ１２で構成される蛇腹構造の袋本体であって、該複数のプリーツ１２の各端部を重ねた状態で閉塞された袋本体と、前記一方側半分１０ａと前記他方側半分１０ｂとに形成され、前記開口部１００ａに沿って延びる第１、第２のトンネル部１８ａ，１８ｂと、前記第１のトンネル部１８ａに挿通され、幅を有する扁平な第１のストラップＳＴ１と、前記第２のトンネル部１８ｂに挿通され、幅を有する扁平な第２のストラップＳＴ２と、前記第１、第２のトンネル部の両端から前記第１、第２のストラップＳＴ１，ＳＴ２の一部を引っ張り出すことにより前記開口部１００ａを小さくしながら、第１、第２のストラップＳＴ１，ＳＴ２を使って運ぶことができる手提げ袋も、従来から知られている（例えば、特許文献２参照）。
【先行技術文献】
【特許文献】
【０００４】
【特許文献１】特開平７−３０８２１５号公報
【特許文献２】国際公開第２０１７／０３３９０２号
【発明の概要】
【発明が解決しようとする課題】
【０００５】
上記特許文献１記載のバッグでは、図４，５のように収納体１内に物品１１を詰めると、蛇腹部５が伸長して収納体１が膨らみ、物品１１の形状に沿った形態となり、使用時の外観がバッグとしての体裁に欠けるという問題があった。
また、上記特許文献２記載の折り畳み可能な袋では、両端部を引き離す方向に引っ張るだけで、長手方向の両端を閉じた所定の長方形の扁平な帯状の形態にすることができるが、上記特許文献１記載のバッグと同様に、使用時の外観をいわゆるかばんのように、底面が平坦で前後の胴部が直立し、天面が丸みを帯びた形状にできないという問題があった。
【０００６】
本発明は、上記問題を解決することを課題とし、使用時の外観として、底面が平坦で前後の胴部が直立し、天面が丸みを帯びた形状とすることができるとともに、使用後には、裏返して長手方向の両端を引き離す方向に緊張させることにより、簡単に折り畳まれる折り畳みかばんを提供することを目的とする。
【課題を解決するための手段】
【０００７】
本発明は、上記の課題を解決するため、折り畳みかばんとして、使用状態から裏返し、長手方向の両端を引き離す方向に緊張させることにより、該両端を閉じた長方形の扁平な形状に折り畳まれる折り畳みかばんであって、前記長方形の扁平な形状に折り畳まれた状態で前面および後面に位置する一組の折り畳み表面と、両折り畳み表面の長手方向一端側から内方他端側に向けて形成され、底マチに対応する幅の底内ヒダと、両折り畳み表面の長手方向他端側から内方一端側に向けて形成され、内方に向かって順次ヒダの幅が狭くなる複数組の天内ヒダとを有する収納本体と、前記収納本体の天内ヒダの内側に形成され、収納対象物を出し入れする収納口部と、前記収納本体に形成される複数の内ヒダの側端部を重ね合わせた状態で封止する集束端部と、前記収納本体の収納口部の内側に取着されるハンドルと、を備えることを特徴とする構成を採用する。
【０００８】
折り畳みかばんを構成する収納本体の具体的実施形態として、前記収納本体は、長方形のシート材料で構成され、前記シート材料は、長辺の垂直２等分線に形成する第１谷折り線と、該第１谷折り線から短辺側に向けて底マチ幅の半分の間隔Ｓ１で形成する一組の第１山折り線と、該第１山折り線から短辺側に向けて間隔Ｓ１の倍以上の間隔Ｓ２で形成する一組の第２山折り線と、該第２山折り線から短辺側に向けて間隔Ｓ１よりも狭い間隔Ｓ３で形成する一組の第２谷折り線と、該第２谷折り線から短辺側に向けて間隔Ｓ３で形成する一組の第３山折り線と、該第３山折り線から短辺側に向けて間隔Ｓ３よりも順次狭くなる間隔で形成する複数組の谷折り線および山折り線で折り畳まれることを特徴とする構成を採用する。
また、収納口部の具体的実施形態として、該収納本体は、収納口部に沿って、収納口部を開閉するファスナーを備えることを特徴とする構成を採用する。
【発明の効果】
【０００９】
本発明の折り畳みかばんは、上記構成を採用することにより、使用時の外観として、底面が平坦で前後の胴部が直立し、天面が丸みを帯びた形状とすることができるとともに、使用後には、裏返して長手方向の両端を引き離す方向に緊張させるだけで、該両端が閉じた長方形の扁平な形状に、簡単に折り畳むことが可能である。
また、本発明の折り畳みかばんは、収納本体が一枚の長方形のシート材料を短辺と平行な谷折り線および山折り線に沿って折り畳むことで製作されているので、製作工程をシンプルにすることができる。
【図面の簡単な説明】
【００１０】
【図１】本発明の実施例であるかばんの折り畳んだ状態を示す図であり、（ａ）は正面図、（ｂ）はＸ−Ｘ方向矢視断面図である。
【図２】実施例のかばんをパーツ毎に分解した状態を示す図である。
【図３】実施例のかばんを構成する収納本体および収納口部の折り畳み状態を説明する模式図である。
【図４】実施例のかばんの使用状態を示す図であり、（ａ）は上面図、（ｂ）は正面図、（ｃ）は側面図である。
【図５】実施例のかばんを拡げるときの手順を示す説明図であり、（ａ）は留めバンドを外し、長手方向に拡げた状態を示す図、（ｂ）は全体を裏返した状態を示す図、（ｃ）は全体を拡げた状態を示す図である。
【図６】実施例のかばんを折り畳むときの手順を示す説明図であり、（ａ）は内側の集束端部を持ってかばんを裏返す状態を示す図、（ｂ）は収納本体の両端を引き離す方向に緊張させる状態を示す図、（ｃ）は２つ折りにした収納本体を長手方向に巻き取る状態を示す図である。
【発明を実施するための形態】
【００１１】
次に、本発明の折り畳みかばんについて、実施例を示した図面を参照して説明する。
以下の説明では、図１（ａ）の正面図でみて、縦方向を「上下」、横向を「左右」、紙面の手前から奥方向を「前後」とする。
【実施例】
【００１２】
図１および２において、Ａは折り畳みかばん、Ｂは複数の内ヒダを形成することによって長方形の扁平な形状に折り畳まれる収納本体、Ｃは前記収納本体Ｂに形成された複数の内ヒダの側端部を重ね合わせた状態で封止する集束端部、Ｄは収納本体Ｂを長手方向に折り畳んで結束する留めバンド、Ｅは前記収納本体Ｂ内に収納対象物を出し入れする収納口部、Ｈは収納本体Ｂの収納口部Ｅの内側に取着されるハンドルである。
【００１３】
収納本体Ｂは、図２に示すように、長辺１と短辺２とからなる長方形のシート材料３で構成されている。
本実施例では、シート材料３の材質として、ポリエステルの布帛が使用されているが、ナイロンや木綿などの合成繊維や天然繊維からなる布帛や、前記布帛に合成樹脂をコーティングした積層材料など、必要な強度と屈曲性を有する可撓性のシート材料であれば、いずれも選択可能である。
【００１４】
シート材料３は、長辺１の垂直２等分線である中心線ＣＬを挟んで線対称にヒダを形成するために、該中心線ＣＬに沿って形成される第１谷折り線Ｖ１と、該第１谷折り線Ｖ１から両方の短辺２側に向けて底マチ２０の幅の半分の間隔Ｓ１（図４（ｃ）参照）で形成される一対の第１山折り線Ｍ１と、該第１山折り線Ｍ１から該短辺２側に向けて間隔Ｓ１の倍以上の間隔Ｓ２で形成される一対の第２山折り線Ｍ２と、該第２山折り線Ｍ２から短辺２側に向けて間隔Ｓ１よりも狭い間隔Ｓ３で形成される一対の第２谷折り線Ｖ２と、該第２谷折り線Ｖ２から短辺２側に向けて間隔Ｓ３で形成される一対の第３山折り線Ｍ３と、該第３山折り線Ｍ３から短辺２側に向けて間隔Ｓ３よりも狭い間隔Ｓ４で形成される一対の第３谷折り線Ｖ３とを有し、該第３谷折り線Ｖ３から短辺２までの幅は、間隔Ｓ４となるように設定されている。
本実施例では、シート材料３に、第３山折り線Ｍ３および第３谷折り線Ｖ３まで形成されているが、該第３山折り線Ｍ３から短辺２側に向けて間隔Ｓ３より順次狭くなる間隔で複数組の谷折り線および山折り線が形成されるようにしても構わない。
【００１５】
収納本体Ｂは、図３に示すように、シート材料３を谷折り線Ｖ１〜３および山折り線Ｍ１〜３に沿ってそれぞれ折り畳むと、図１（ｂ）に示すように、折り畳まれた収納本体Ｂの縦断面の前面および後面には、第１山折り線Ｍ１を長手方向一端側とするとともに、第２山折り線Ｍ２を長手方向他端側とし、該一端側と他端側との間隔がＳ２である折り畳み表面５が形成される。
さらに、収納本体Ｂは、前後の折り畳み表面５の長手方向一端側から内方他端側に向けて、第１谷折り線Ｖ１によって底マチ２０に対応する間隔Ｓ１の幅で底内ヒダ６が形成され、前後の折り畳み表面５の長手方向他端側から内方一端側に向けて、第２谷折り線Ｖ２によって間隔Ｓ１よりも狭い間隔Ｓ３の幅で第１天内ヒダ７、および第３谷折り線Ｖ３によって間隔Ｓ３よりも狭い間隔Ｓ４の幅で第２天内ヒダ８が、順次内方に向けて形成される。
本実施例では、収納本体Ｂの天内ヒダは、第２天内ヒダ８まで形成されているが、天内ヒダは、前後の折り畳み表面５の長手方向他端側から内方一端側に向けて、内方に向かって順次ヒダの幅が狭くなるように複数組の内ヒダを形成するようにしても構わない。
【００１６】
ハンドルＨは、図２に示すように、全体がＵ字状をなすようにテープ状材料１１で形成されており、ハンドルＨの取付端部１２は、図１（ｂ）に示すように、収納本体Ｂを構成するシート材料３の短辺２から間隔Ｓ４の範囲で縫い付けられている。
本実施例では、ハンドルＨは、全体がＵ字状をなすようにテープ状材料１１で形成されているが、ハンドルＨは、この形状に限らず、肩掛け用にストラップ状など、必要に応じて様々な形状のものを選択することができる。
【００１７】
収納口部Ｅは、図２に示すように、収納本体Ｂを構成するシート材料３と同材質で長方形に形成され、長辺である一対の取付縁部１４は、図１（ｂ）に示すように、それぞれがハンドルＨを縫い付けたシート材料３の短辺２に沿って重ね合わせた状態で縫合されている。
さらに、収納口部Ｅは、中央に取り付けられたファスナーＦの開閉によって開け閉めできるようになっている。
【００１８】
集束端部Ｃは、図２に示すように、シート材料３の折り畳み表面５の幅である間隔Ｓ２の２倍強に設定された全長を有する一対のテープ状材料１６から構成され、収納本体Ｂに形成された複数のヒダの各側端を重ね合わせた状態で封止するために、それぞれのテープ状材料１６を折り目１７から折り返し、収納本体Ｂの折り畳まれた側端部４を挟持するように縫合されている。
さらに、一方の集束端部Ｃには、中央付近から外方に向けて、図１（ａ）に示す収納本体Ｂを長手方向に折り畳んで結束するために、リング状のゴム製の留めバンドＤの一端が縫い付けられている。
本実施例では、留めバンドＤは、リング状のゴム製のものが使用されているが、このタイプのものに限らず、テープ状の留めバンドの端部にボタンを取着し、該ボタンと協働する受け部を収納本体Ｂに取着するようにしても構わない。
【００１９】
以上説明したように、折り畳みかばんＡは、折り畳まれた状態で製作されるので、次に、図４を参照しながら、使用状態の折り畳みかばんＡの外観について説明する。
使用状態に拡げられた折り畳みかばんＡは、図４（ｃ）の側面図に示すように、間隔Ｓ１の倍の幅を有する底マチ（底面）２０と、底マチ２０の前後（第１山折り線Ｍ１）から略垂直に立ち上がる前後の胴部２１（第１山折り線Ｍ１から第２谷折り線Ｖ２まで）と、胴部２１から上方の収納口部Ｅに連続し、側面からみて丸みを帯びた天マチ（天面）２２（第２谷折り線Ｖ２から収納口部Ｅの取付縁部１４まで）と、底マチ２０、胴部２１および天マチ２２の両側部からそれぞれ連続する横マチ２３とから構成されている。
【００２０】
次に、本実施例の使用態様と作用効果について図面を参照しながら説明する。
本実施例の折り畳みかばんＡは、図２に示すように、収納本体Ｂを構成するシート材料３の短辺２のそれぞれに、ハンドルＨの取付端部１２を縫い付けた後、ハンドルＨをシート材料３の短辺２に沿って折り返し、ハンドルＨの上から収納口部Ｅのそれぞれの取付縁部１４をシート材料３の短辺２に沿って縫い付ける。
【００２１】
その後、ハンドルＨおよび収納口部Ｅが縫い付けられた収納本体Ｂは、図３に示すように、谷折り線Ｖ１〜３および山折り線Ｍ１〜３に沿ってそれぞれ折り畳まれた後、側端部４に集束端部Ｃを縫い付けるとともに、集束端部Ｃの一方に留めバンドＤを縫い付けることにより、図１（ａ）に示すように、折り畳みかばんＡは、折り畳まれた状態で製作される。
【００２２】
次に、図５を参照しながら、折り畳まれた折り畳みかばんＡを使用可能な状態にする手順について説明する。
まず、結束された収納本体Ｂから留めバンドＤを外し、図５（ａ）のように、収納口部Ｅを下にした状態で左右方向に拡げる。
その後、収納口部ＥのファスナーＦを全開し、図５（ｂ）のように、収納本体Ｂの中からハンドルＨを引き出し、矢印方向に全体を裏返す。
すると、図５（ｃ）のように、折り畳みかばんＡが使用状態になるので、収納口部Ｅから収納物品を入れた後、ファスナーＦを閉じ、ハンドルＨに手を掛けて使用することができる。
【００２３】
以上のように、使用状態に拡げられた折り畳みかばんＡは、図４（ｃ）に示すように、外観として、平坦な底マチ２０と、底マチ２０の前後から略垂直に立ち上がる前後の胴部２１と、該胴部２１から上方の収納口部Ｅに向けて丸みを帯びた天マチ２２とを有することにより、従来の折り畳みかばんとは外観において、一線を画す優れたデザインとすることができる。
【００２４】
次に、図６を参照しながら、使用後の折り畳みかばんＡを小さく折り畳む手順について説明する。
まず、折り畳みかばんＡのファスナーＦを全開し、収納対象物を取り出した後、図６（ａ）に示すように、収納口部Ｅから収納本体Ｂの中に両手を入れ、内側の集束端部Ｃをそれぞれ持ち、折り畳みかばんＡを裏返すように外側に向ける。
その後、図６（ｂ）に示すように、集束端部Ｃを引き離す方向に両手で引っ張るが、もし、一度で上手く畳めない時は、再度、集束端部Ｃを左右方向に引っ張り直すことで収納本体Ｂを長方形の扁平な形状にすることができる。
【００２５】
その後、ハンドルＨをそれぞれ収納本体Ｂの中に入れた後、ファスナーＦを閉じると、前述した図５（ａ）の状態に戻すことができる。
その後、収納本体Ｂを二つに折り畳んだ後、図６（ｃ）のように、折り目２５の方から小さくなるように折り畳み、最後に、ゴム製の留めバンドＤで結束して折り畳みが完了する。
【００２６】
本実施例では、折り畳みかばんＡの収納口部ＥをファスナーＦにより開閉するようにしているが、これに限らず、例えば、マジックテープ（登録商標）により開閉するようにしても構わない。
【産業上の利用可能性】
【００２７】
本発明の折り畳みかばんは、使用時の外観として、底面が平坦で前後の胴部が直立し、天面が丸みを帯びた形状とすることができるとともに、使用後には、裏返して長手方向の両端を引き離す方向に緊張させるだけで、該両端が閉じた長方形の扁平な形状にすることができるので、携帯時に簡単に折り畳むことができ、とくに、旅行の際に、増えた荷物を収納するサブのボストンバッグとして好適である。
【符号の説明】
【００２８】
Ａ            折り畳みかばん
Ｂ            収納本体
Ｃ            集束端部
Ｄ            留めバンド
Ｅ            収納口部
Ｆ            ファスナー
Ｈ            ハンドル
Ｍ１、Ｍ２、Ｍ３  山折り線
Ｖ１、Ｖ２、Ｖ３  谷折り線
Ｓ１、Ｓ２、Ｓ３、Ｓ４  間隔
１            長辺
２            短辺
３            シート材料
４            側端部
５            折り畳み表面
６            底内ヒダ
７            第１天内ヒダ
８            第２天内ヒダ
１１、１６      テープ状材料
１２            取付端部
１４            取付縁部
１７、２５      折り目
２０            底マチ（底面）
２１            胴部
２２            天マチ（天面）
２３            横マチ
【図１】
2019097724.tif 000003
【図２】
2019097724.tif 000004
【図３】
2019097724.tif 000005
【図４】
2019097724.tif 000006
【図５】
2019097724.tif 000007
【図６】
2019097724.tif 000008
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
長方形の扁平な形状に折り畳まれる折り畳みかばんであって、
前記長方形の扁平な形状に折り畳まれた状態で前面および後面に位置し、長手方向一端側と長手方向他端側との間隔がＳ２である一組の折り畳み表面と、前後の折り畳み表面の長手方向一端側から内方他端側に向けて、底マチに対応する間隔Ｓ１の幅で形成される底内ヒダと、前後の折り畳み表面の長手方向他端側から内方一端側に向けて形成され、内方対向側に向かって間隔Ｓ１よりも順次ヒダの幅が狭くなる複数組の天内ヒダとを有する収納本体と、
前記折り畳まれた収納本体の複数組の天内ヒダの最内方側に形成され、収納対象物を出し入れする収納口部と、
前記折り畳まれた収納本体に形成される底内ヒダおよび複数組の天内ヒダの各側端を重ね合わせた状態で封止するために、収納本体の折り畳まれた側端部に縫い付けられる集束端部と、
前記折り畳まれた収納本体の収納口部の外側に取着されるハンドルと、を備え、
前記収納本体は、長方形のシート材料で構成され、
前記間隔Ｓ２は、間隔Ｓ１の倍以上に設定され、
使用状態から裏返し、集束端部を引き離す方向に緊張させることにより、収納本体を折り畳むことを特徴とする折り畳みかばん。
【請求項２】
前記シート材料は、長辺と短辺とを有し、長辺の垂直２等分線に形成する第１谷折り線と、該第１谷折り線から短辺側に向けて底マチ幅の半分の間隔Ｓ１で形成され、前後の折り畳み表面の長手方向一端側に対応する一組の第１山折り線と、該第１山折り線から短辺側に向けて間隔Ｓ１の倍以上の間隔Ｓ２で形成され、前後の折り畳み表面の長手方向他端側に対応する一組の第２山折り線と、該第２山折り線から短辺側に向けて間隔Ｓ１よりも狭い間隔Ｓ３で形成され、第１天内ヒダに対応する一組の第２谷折り線と、該第２谷折り線から短辺側に向けて間隔Ｓ３で形成され、第２天内ヒダに対応する一組の第３山折り線と、該第３山折り線から短辺側に向けて間隔Ｓ３よりも順次狭くなる間隔で形成する複数組の谷折り線および山折り線で折り畳まれることを特徴とする請求項１に記載の折り畳みかばん。
【請求項３】
前記収納本体は、収納口部に沿って、収納口部を開閉するファスナーを備えることを特徴とする請求項１または２に記載の折り畳みかばん。
【手続補正２】
【補正対象書類名】明細書
【補正対象項目名】０００７
【補正方法】変更
【補正の内容】
【０００７】
本発明は、上記の課題を解決するため、折り畳みかばんとして、長方形の扁平な形状に折り畳まれる折り畳みかばんであって、前記長方形の扁平な形状に折り畳まれた状態で前面および後面に位置し、長手方向一端側と長手方向他端側との間隔がＳ２である一組の折り畳み表面と、前後の折り畳み表面の長手方向一端側から内方他端側に向けて、底マチに対応する間隔Ｓ１の幅で形成される底内ヒダと、前後の折り畳み表面の長手方向他端側から内方一端側に向けて形成され、内方対向側に向かって間隔Ｓ１よりも順次ヒダの幅が狭くなる複数組の天内ヒダとを有する収納本体と、前記折り畳まれた収納本体の複数組の天内ヒダの最内方側に形成され、収納対象物を出し入れする収納口部と、前記折り畳まれた収納本体に形成される底内ヒダおよび複数組の天内ヒダの各側端を重ね合わせた状態で封止するために、収納本体の折り畳まれた側端部に縫い付けられる集束端部と、前記折り畳まれた収納本体の収納口部の外側に取着されるハンドルと、を備え、前記収納本体は、長方形のシート材料で構成され、前記間隔Ｓ２は、間隔Ｓ１の倍以上に設定され、使用状態から裏返し、集束端部を引き離す方向に緊張させることにより、収納本体を折り畳むことを特徴とする構成を採用する。
【手続補正３】
【補正対象書類名】明細書
【補正対象項目名】０００８
【補正方法】変更
【補正の内容】
【０００８】
折り畳みかばんを構成する収納本体の具体的実施形態として、前記シート材料は、長辺と短辺とを有し、長辺の垂直２等分線に形成する第１谷折り線と、該第１谷折り線から短辺側に向けて底マチ幅の半分の間隔Ｓ１で形成され、前後の折り畳み表面の長手方向一端側に対応する一組の第１山折り線と、該第１山折り線から短辺側に向けて間隔Ｓ１の倍以上の間隔Ｓ２で形成され、前後の折り畳み表面の長手方向他端側に対応する一組の第２山折り線と、該第２山折り線から短辺側に向けて間隔Ｓ１よりも狭い間隔Ｓ３で形成され、第１天内ヒダに対応する一組の第２谷折り線と、該第２谷折り線から短辺側に向けて間隔Ｓ３で形成され、第２天内ヒダに対応する一組の第３山折り線と、該第３山折り線から短辺側に向けて間隔Ｓ３よりも順次狭くなる間隔で形成する複数組の谷折り線および山折り線で折り畳まれることを特徴とする構成を採用する。
また、収納口部の具体的実施形態として、前記収納本体は、収納口部に沿って、収納口部を開閉するファスナーを備えることを特徴とする構成を採用する。
【手続補正４】
【補正対象書類名】明細書
【補正対象項目名】０００９
【補正方法】変更
【補正の内容】
【０００９】
本発明の折り畳みかばんは、上記構成を採用することにより、使用時の外観として、底面が平坦で前後の胴部が直立し、天面が丸みを帯びた形状とすることができるとともに、使用後には、裏返して集束端部を引き離す方向に緊張させるだけで、収納本体を長方形の扁平な形状に、簡単に折り畳むことが可能である。
また、本発明の折り畳みかばんは、収納本体が一枚の長方形のシート材料を短辺と平行な谷折り線および山折り線に沿って折り畳むことで製作されているので、製作工程をシンプルにすることができる。
【手続補正５】
【補正対象書類名】明細書
【補正対象項目名】００１２
【補正方法】変更
【補正の内容】
【００１２】
図１および２において、Ａは折り畳みかばん、Ｂは複数の内ヒダを形成することによって長方形の扁平な形状に折り畳まれる収納本体、Ｃは前記折り畳まれた収納本体Ｂに形成された複数の内ヒダの各側端を重ね合わせた状態で封止するために、収納本体Ｂの折り畳まれた側端部４に縫い付けられる集束端部、Ｄは収納本体Ｂを長手方向に折り畳んで結束する留めバンド、Ｅは前記収納本体Ｂ内に収納対象物を出し入れする収納口部、Ｈは折り畳まれた収納本体Ｂの収納口部Ｅの外側に取着されるハンドルである。
【手続補正６】
【補正対象書類名】明細書
【補正対象項目名】００１５
【補正方法】変更
【補正の内容】
【００１５】
収納本体Ｂは、図３に示すように、シート材料３を谷折り線Ｖ１〜３および山折り線Ｍ１〜３に沿ってそれぞれ折り畳むと、図１（ｂ）に示すように、折り畳まれた収納本体Ｂの縦断面の前面および後面には、第１山折り線Ｍ１を長手方向一端側とするとともに、第２山折り線Ｍ２を長手方向他端側とし、該一端側と他端側との間隔がＳ２である折り畳み表面５が形成される。
さらに、収納本体Ｂは、前後の折り畳み表面５の長手方向一端側から内方他端側に向けて、第１谷折り線Ｖ１によって底マチ２０に対応する間隔Ｓ１の幅で底内ヒダ６が形成され、前後の折り畳み表面５の長手方向他端側から内方一端側に向けて、第２谷折り線Ｖ２によって間隔Ｓ１よりも狭い間隔Ｓ３の幅で第１天内ヒダ７、および第３谷折り線Ｖ３によって間隔Ｓ３よりも狭い間隔Ｓ４の幅で第２天内ヒダ８が、順次内方対向側に向けて形成される。
本実施例では、収納本体Ｂの天内ヒダは、第２天内ヒダ８まで形成されているが、天内ヒダは、前後の折り畳み表面５の長手方向他端側から内方一端側に向けて、内方対向側に向かって順次ヒダの幅が狭くなるように複数組の天内ヒダを形成するようにしても構わない。
【手続補正７】
【補正対象書類名】明細書
【補正対象項目名】００２７
【補正方法】変更
【補正の内容】
【００２７】
本発明の折り畳みかばんは、使用時の外観として、底面が平坦で前後の胴部が直立し、天面が丸みを帯びた形状とすることができるとともに、使用後には、裏返して集束端部を引き離す方向に緊張させるだけで、収納本体を長方形の扁平な形状にすることができるので、携帯時に簡単に折り畳むことができ、とくに、旅行の際に、増えた荷物を収納するサブのボストンバッグとして好適である。